(57)【要約】【課題】  入力交流電源と絶縁されていない非絶縁との直流電源を直接ディスプレイパネル駆動回路に供給して電力効率を向上させるディスプレイシステムの電源供給装置及びその設計方法を提供する。【解決手段】  ディスプレイパネル駆動システムにおいて、交流電源を整流して力率を改善させ、前記交流電源と絶縁されていない非絶縁の直流電源及び前記交流電源と絶縁された絶縁直流電源とを生成させる直流電源供給回路、前記非絶縁の直流電源でディスプレイパネルを駆動させるための各種駆動信号を生成させるディスプレイパネル駆動回路及び前記絶縁直流電源に前記ディスプレイパネル駆動に使われるデータを生成させる所定のビデオ信号処理を実行するビデオ信号処理回路を含む。【選択図】      図２ 
2005010779.tif 000002
【特許請求の範囲】
【請求項１】
ディスプレイパネル駆動システムにおいて、
交流電源を整流して力率を改善させ、前記交流電源と絶縁されていない非絶縁の直流電源及び前記交流電源と絶縁された絶縁直流電源を生成させる直流電源供給回路と、
前記非絶縁の直流電源でディスプレイパネルを駆動させるための各種駆動信号を生成させるディスプレイパネル駆動回路と、
前記絶縁直流電源で前記ディスプレイパネル駆動に使われるデータを生成させる所定のビデオ信号処理を実行するビデオ信号処理回路とを含むことを特徴とするディスプレイパネル駆動システムの高効率電源供給装置。
【請求項２】
前記直流電源供給回路は、
交流電源を整流して直流電圧として出力する整流回路と、
前記整流回路の出力を入力して、力率を改善して前記交流電源と絶縁されていない非絶縁の直流電源を生成させる力率改善回路と、
前記非絶縁の直流電源を入力して、前記非絶縁の直流電源を前記交流電源と絶縁された所定のレベルを有する絶縁直流電源に変換させる直流−直流変換回路とを含むことを特徴とする請求項１に記載のディスプレイパネル駆動システムの高効率電源供給装置。
【請求項３】
前記力率改善回路は出力電圧のレベルを制御するコンバータを含むことを特徴とする請求項２に記載のディスプレイパネル駆動システムの高効率電源供給装置。
【請求項４】
前記コンバータはＳＥＰＩＣ（Ｓｉｎｇｌｅ  Ｅｎｄｅｄ  Ｐｒｉｍａｒｙ  Ｉｎｄｕｃｔａｎｃｅ  Ｃｏｎｖｅｒｔｅｒ）を含むことを特徴とする請求項３に記載のディスプレイパネル駆動システムの高効率電源供給装置。
【請求項５】
前記直流電源供給回路は前記力率改善回路の出力を入力してリップルをフィルタリングするリップルフィルタをさらに含むことを特徴とする請求項２に記載のディスプレイパネル駆動システムの高効率電源供給装置。
【請求項６】
前記リップルフィルタは直列型スイッチングリップルフィルタを含むことを特徴とする請求項５に記載のディスプレイパネル駆動システムの高効率電源供給装置。
【請求項７】
前記ディスプレイパネルはプラズマディスプレイパネルを含むことを特徴とする請求項１に記載のディスプレイパネル駆動システムの高効率電源供給装置。
【請求項８】
前記ディスプレイパネル駆動回路はプラズマディスプレイパネルのサステイン駆動回路を含むことを特徴とする請求項１に記載のディスプレイパネル駆動システムの高効率電源供給装置。
【請求項９】
前記ビデオ信号処理回路で生成されたデータはフォトカプラーを通じて前記ディスプレイパネル駆動回路に伝えられることを特徴とする請求項１に記載のディスプレイパネル駆動システムの高効率電源供給装置。
【請求項１０】
前記ディスプレイシステムの印刷回路基板のグラウンド処理は、前記直流電源供給回路での非絶縁の直流電源を生成させる回路の出力端グラウンド（第１グラウンド）と前記ディスプレイパネル駆動回路のグラウンド（第１グラウンド）とを連結させ、前記直流電源供給回路での絶縁直流電源を生成させる回路の出力端グラウンド（第２グラウンド）と前記ビデオ信号処理回路のグラウンド（第２グラウンド）とを連結させ、前記第１グラウンドと前記第２グラウンドとを電気的に遮断させるように設計することを特徴とする請求項１に記載のディスプレイパネル駆動システムの高効率電源供給装置。
【請求項１１】
ディスプレイパネル駆動システム電源回路設計方法において、
入力交流電源と絶縁されていない非絶縁の直流電源を直接ディスプレイパネル駆動回路に供給し、前記入力交流電源と絶縁された絶縁直流電源をディスプレイパネル駆動に使われるデータを生成させる所定のビデオ信号処理を実行するビデオ信号処理回路に供給し、前記ディスプレイパネル駆動回路と前記ビデオ信号処理回路とを絶縁させるように設計することを特徴とするディスプレイパネル駆動システムの高効率電源供給装置の設計方法。
【請求項１２】
前記ディスプレイシステムの印刷回路基板のグラウンド処理は、前記非絶縁の直流電源を生成させる回路の出力端グラウンド（第１グラウンド）と前記ディスプレイパネル駆動回路のグラウンド（第１グラウンド）とを連結させ、前記絶縁直流電源を生成させる回路の出力端グラウンド（第２グラウンド）と前記ビデオ信号処理回路のグラウンド（第２グラウンド）とを連結させ、前記第１グラウンドと前記第２グラウンドとを電気的に遮断させるように設計することを特徴とする請求項１１に記載のディスプレイパネル駆動システムの高効率電源供給装置の設計方法。
【請求項１３】
前記非絶縁の直流電源は力率改善回路の出力電源であることを特徴とする請求項１１に記載のディスプレイパネル駆動システムの高効率電源供給装置の設計方法。
【請求項１４】
前記非絶縁の直流電源は力率改善回路及びリップルフィルタを経た出力電源であることを特徴とする請求項１１に記載のディスプレイパネル駆動システムの高効率電源供給装置の設計方法。
【請求項１５】
前記ビデオ信号処理回路で生成されたデータはフォトカプラーを通じて前記ディスプレイパネル駆動回路に伝えられることを特徴とする請求項１１に記載のディスプレイパネル駆動システムの高効率電源供給装置の設計方法。
【請求項１６】
前記ディスプレイパネルはプラズマディスプレイパネルを含むことを特徴とする請求項１１に記載のディスプレイパネル駆動システムの高効率電源供給装置の設計方法。
【請求項１７】
前記ディスプレイパネル駆動回路はプラズマディスプレイパネルのサステイン駆動回路を含むことを特徴とする請求項１１に記載のディスプレイパネル駆動システムの高効率電源供給装置の設計方法。
【請求項１８】
ディスプレイパネル駆動システムにおいて、
入力交流電源と絶縁されていない非絶縁の直流電源を生成させて直接ディスプレイパネル駆動回路に供給し、前記入力交流電源と絶縁された絶縁直流電源を生成させてディスプレイパネル駆動に使われるデータを生成させる所定のビデオ信号処理を実行するビデオ信号処理回路に供給するための電源供給手段を含み、前記ディスプレイパネル駆動回路と前記ビデオ信号処理回路とを絶縁させるように設計することを特徴とする高効率ディスプレイパネル駆動システム。
【請求項１９】
前記ディスプレイパネル駆動回路は第１グラウンド電位に連結されたサステイン駆動回路を含み、前記ビデオ信号処理回路は前記第１グラウンド電位と電気的に遮断された第２グラウンド電位に連結されるように設計することを特徴とする請求項１８に記載の高効率ディスプレイパネル駆動システム。
【請求項２０】
前記電源供給手段と前記ビデオ信号処理回路間に直流−直流変換回路を結合させ、前記電源供給手段は交流電源を入力して直流電源として出力させる回路を含んで前記直流電源を前記直流−直流変換回路を経て前記ビデオ信号処理回路に供給し、前記ディスプレイパネル駆動回路には前記直流電源を直接供給することを特徴とする請求項１８に記載の高効率ディスプレイパネル駆動システム。
【請求項２１】
前記ディスプレイパネル駆動回路と直流−直流変換回路とは第１グラウンド電位に連結させ、前記ビデオ信号処理回路は前記第１グラウンドと電気的に遮断された第２グラウンド電位に連結させるように設計することを特徴とする請求項２０に記載の高効率ディスプレイパネル駆動システム。
【請求項２２】
前記ディスプレイパネルに高電圧を供給し、前記第１グラウンド電位に連結された高電圧出力回路と、
前記第１グラウンド電位に連結された１次及び２次コイルを有する高電圧出力回路間に連結された変換回路とをさらに含むことを特徴とする請求項２１に記載の高効率ディスプレイパネル駆動システム。
【請求項２３】
前記ビデオ信号処理回路と前記ディスプレイパネル駆動回路間に結合され、前記第２グラウンド電位に連結されたフォトカプラーをさらに含むことを特徴とする請求項２１に記載の高効率ディスプレイパネル駆動システム。
【請求項２４】
前記ビデオ信号処理回路から生成されたデータを前記ディスプレイパネル駆動回路に伝送する前記フォトカプラーに結合される論理回路と、
前記論理回路及び直流−直流変換回路間に結合され、前記第２グラウンド電位に連結された変換回路とをさらに含むことを特徴とする請求項２３に記載の高効率ディスプレイパネル駆動システム。
【請求項２５】
前記ディスプレイパネルは前記ビデオ信号処理回路からデータを受信され、前記データによってディスプレイパネル駆動回路から駆動信号を受信されるプラズマディスプレイパネルを含み、前記ディスプレイパネル駆動回路に非絶縁電源を直接供給するために前記電源供給回路とディスプレイパネル駆動回路間に連結される直流−直流変換回路を有していないことを特徴とする請求項１８に記載の高効率ディスプレイパネル駆動システム。
【請求項２６】
ディスプレイパネル駆動方法において、
入力交流電源から非絶縁された直流電源と絶縁された直流電源とを生成させる段階と、
前記非絶縁された直流電源はディスプレイパネル駆動回路に直接供給し、絶縁された直流電源はビデオ信号処理回路に供給する段階と、を含むことを特徴とする高効率ディスプレイパネル駆動方法。
【請求項２７】
前記ビデオ信号処理回路から前記ディスプレイパネル駆動回路を絶縁させる段階をさらに含むことを特徴とする請求項２６に記載の高効率ディスプレイパネル駆動方法。
【発明の詳細な説明】
【技術分野】
【０００１】
本発明はディスプレイシステムの電源供給装置及びその設計方法に係り、特に入力交流電源と絶縁されていない非絶縁の直流電源を直接ディスプレイパネル駆動回路に供給して電力効率を向上させるためのディスプレイパネル駆動システムの高効率電源供給装置及びその設計方法に関する。
【背景技術】
【０００２】
一般的に、デジタル方式で駆動されるディスプレイパネルとしては、プラズマディスプレイパネル（ＰＤＰ：Ｐｌａｓｍａ  Ｄｉｓｐｌａｙ  Ｐａｎｅｌ）、強誘電性液晶（ＦＬＣ：Ｆｅｒｒｏ  ｅｌｅｃｔｒｉｃ  Ｌｉｑｕｉｄ  Ｃｒｙｓｔａｌ）パネルなどがある。
【０００３】
交流型プラズマディスプレイパネル（ＡＣ  ＰＤＰ：ＡＣ  Ｐｌａｓｍａ  Ｄｉｓｐｌａｙ  Ｐａｎｅｌ）は気体放電により生成されたプラズマを利用して文字または映像を表示する次世代平板ディスプレイ装置であって、サイズによって数十万個から数百万個以上のピクセルがマトリックス形態に配列されている。
【０００４】
ＡＣ  ＰＤＰは光視野角、大きいサイズ、長い寿命、高コントラスト比、超薄型との長所によって次世代の主力マルチメディアディスプレイと知られている。現在、ＡＣ  ＰＤＰの回路設計側面で解決すべき課題としては、高コストを下げることと過度な電力消費量を減らすことである。
【０００５】
本発明と関連したプラズマディスプレイパネル駆動回路の基本的な動作は特許文献１に説明されている。
【０００６】
従来の技術によるＡＣ ＰＤＰ駆動システムで使われる電源供給装置は図１に示された通りである。
【０００７】
従来の技術によるＡＣ ＰＤＰ駆動システムの電源供給装置は交流電源１１０、整流回路１２０、力率改善回路１３０、第１、２ＤＣ−ＤＣ変換回路１４０−１、１４０−２及びディスプレイパネル駆動回路１５０で構成される。
【０００８】
ここで、第２ＤＣ−ＤＣ変換回路１４０−２の出力電圧はビデオ信号処理回路、マイクロプロセッサーなどの信号処理及びデータ処理回路に供給される。
【０００９】
従来の技術によるＡＣ ＰＤＰ駆動システムの電源装置の回路構成の特徴は、力率改善回路１３０のＤＣ出力電圧を第１、２ＤＣ−ＤＣ変換回路１４０−１、１４０−２の入力電圧として供給し、第１、２ＤＣ−ＤＣ変換回路１４０−１、１４０−２の出力電圧を各種負荷に供給する直列連結２ステージ構成（以下、２段構成）よりなる点である。
【００１０】
このようにディスプレイパネル駆動回路１５０に供給される電源を２段直列で構成した理由は力率改善と同時に出力電圧の良好なレギュレーションのためであるが、システム全体出力電力の約７５％以上を占めるディスプレイパネル駆動回路１５０のみのために２ＴＲフォワードかハーフブリッジ形態の独立されたＤＣ−ＤＣ変換回路を使用するしかなかった。
【００１１】
このようにディスプレイパネル駆動回路１５０に供給される電源を２段直列構成に設計すれば、サイズが大きくなり、電力変換が順に２回行われるために電力効率が低くなる問題点が発生する。例えば、力率改善回路１３０の効率が９５％であり、第１ＤＣ−ＤＣ変換回路１４０−１の効率が９５％であれば、ディスプレイパネル駆動回路１５０での電源効率は９０％に低くなる。
【特許文献１】米国特許第４,８６６,３４９号公報
【発明の開示】
【発明が解決しようとする課題】
【００１２】
本発明が解決しようとする技術的課題は、前述した問題点を解決するためにＤＣ−ＤＣ変換回路を経ずに交流電源と絶縁されていない非絶縁の直流電源を直接ディスプレイパネル駆動回路に供給して電力損失を最小化させるディスプレイパネル駆動システムの高効率電源供給装置及びその設計方法を提供するところにある。
【課題を解決するための手段】
【００１３】
前記技術的課題を達成するために本発明によるディスプレイパネル駆動システムの高効率電源供給装置は、ディスプレイパネル駆動システムにおいて、交流電源を整流して力率を改善させ、前記交流電源と絶縁されていない非絶縁の直流電源及び前記交流電源と絶縁された絶縁直流電源を生成させる直流電源供給回路、前記非絶縁の直流電源でディスプレイパネルを駆動させるための各種駆動信号を生成させるディスプレイパネル駆動回路及び前記絶縁直流電源で前記ディスプレイパネル駆動に使われるデータを生成させる所定のビデオ信号処理を実行するビデオ信号処理回路を含むことを特徴とする。
【００１４】
前記他の技術的課題を達成するために本発明によるディスプレイパネル駆動システムの高効率電源供給装置の設計方法は、ディスプレイパネル駆動システム電源回路設計方法において、入力交流電源と絶縁されていない非絶縁の直流電源を直接ディスプレイパネル駆動回路に供給し、前記入力交流電源と絶縁された絶縁直流電源をディスプレイパネル駆動に使われるデータを生成させる所定のビデオ信号処理を実行するビデオ信号処理回路に供給し、前記ディスプレイパネル駆動回路と前記ビデオ信号処理回路とを絶縁させるように設計することを特徴とする。
【発明の効果】
【００１５】
本発明によれば、ディスプレイパネル駆動回路に使われる電源を２段直列構成を利用せずに力率改善回路の出力電圧を直接ディスプレイ駆動回路に印加するか、またはリップルフィルタを経た後でディスプレイ駆動回路に印加することによって、第１に、電力効率側面で効率を向上させうる効果が生じ、第２に、電力回路を単純化させて信頼性を向上させうる効果が生じ、第３に、半導体の部品数を減らしてコストが下げられる効果が生じる。
【発明を実施するための最良の形態】
【００１６】
本発明で提案するディスプレイパネル駆動システムの高効率電源供給装置の核心はディスプレイパネル駆動回路に供給される電源として非絶縁された力率改善回路の出力電圧をそのまま利用することである。すなわち、非絶縁された力率改善回路の出力電圧をＤＣ−ＤＣ変換回路を経ずに直接ディスプレイパネル駆動回路に供給して電力効率を高めるように設計することが本発明の核心的な技術である。
【００１７】
特に、プラズマディスプレイパネル駆動システムではサステイン駆動回路がシステム全体電力消費の約７５％を占めることによって、サステイン駆動回路に本発明を適用すれば、電力効率を高められる。
【００１８】
ところが、非絶縁された力率改善回路の出力電圧をＤＣ−ＤＣ変換回路を経ずに直接ディスプレイパネル駆動回路に供給しようとすれば、次のような点を補完せねばならない。
【００１９】
第１に、力率改善回路から出力される電圧とディスプレイパネル駆動回路で利用する電圧とを一致させねばならない。
【００２０】
第２に、力率改善回路の出力電圧は使用交流電源の周波数の２倍に該当する低周波リップル電圧を含み、レギュレーション特性が良好ではないので、この点も考慮せねばならない。
【００２１】
第３に、非絶縁型ＤＣ−ＤＣコンバータである力率改善回路の出力電圧は使用交流電源と絶縁されていない状態であるので、国際的な電気安全規格を満足できるようにディスプレイパネルと駆動回路との電気的な絶縁問題を解決せねばならない
それでは、このような３つの課題を補完する方案について図を参照して細部的に説明する。
【００２２】
図２に示されたように、本発明によるディスプレイパネル駆動システムの電源供給装置は交流電源２１０、整流回路２２０、力率改善回路２３０、リップルフィルタ２４０、ＤＣ−ＤＣ変換回路２５０、ディスプレイパネル駆動回路２６０及びビデオ信号処理回路２７０を具備する。
【００２３】
前記の構成手段のうち整流回路２２０、力率改善回路２３０、リップルフィルタ２４０及びＤＣ−ＤＣ変換回路２５０を直流電源供給回路１０００という。
【００２４】
ビデオ信号処理回路２７０は入力される放送信号またはビデオ信号を処理してディスプレイパネル駆動に使われるデータを生成させ、駆動電源としてはＤＣ−ＤＣ変換回路２５０から出力される絶縁された直流電源を使用する。
【００２５】
整流回路２２０及び力率改善回路２３０の細部回路構成を図３に示した。
【００２６】
整流回路２２０はブリッジダイオードＤ１〜Ｄ４回路構成によって入力交流電源２１０を整流してそれによる直流電圧を出力する。
【００２７】
それにより、力率改善回路２３０は整流された直流電圧を入力されてＰＷＭ（Ｐｕｌｓｅ  Ｗｉｄｔｈ  Ｍｏｄｕｌａｔｉｏｎ）制御信号によって力率を改善してそれによる出力電圧をキャパシタＣ１に充電する。以後、キャパシタＣ１に充電された電圧が放電されて安定した直流電圧が負荷Ｚに供給される。ここで、負荷Ｚはディスプレイパネル駆動回路２６０またはビデオ信号処理回路２７０となる。
【００２８】
すなわち、ＰＷＭ制御信号ＣＴＬのハイ状態区間ではスイッチＳ１が導通状態になってインダクタＬ１に磁気エネルギーが蓄積され、キャパシタＣ１に蓄積されたエネルギーは負荷Ｚに伝えられる。
【００２９】
そして、ＰＷＭ制御信号のロー状態区間ではスイッチＳ１が遮断状態になってインダクタＬ１に蓄積された磁気エネルギーがキャパシタＣ１に伝えられて充電される。
【００３０】
このようなＰＷＭ制御信号による充放電プロセスを通じて力率が改善される。
【００３１】
それにより、本発明に適用時に考慮せねばならない力率改善回路から出力される電圧とディスプレイパネル駆動回路で利用する電圧とを一致させる方案について説明する。
【００３２】
第１の方案としては、ディスプレイパネル駆動電圧を変更して力率改善回路から出力される電圧とディスプレイパネル駆動回路で利用する電圧とを一致させる方法がある。
【００３３】
すなわち、一例としてプラズマディスプレイシステムに適用される力率改善回路２３０の出力電圧は一般的に３６０〜４００ＶＤＣに設計され、サステイン駆動電圧は約１６０Ｖ程度に設計される。
【００３４】
これにより、本発明を適用する場合には力率改善回路２３０の出力電圧を低めるか、それともサステイン駆動電圧を高めるように設計する必要がある。
【００３５】
まず、力率改善回路２３０の出力電圧を下げる方法としては、公知された技術である図４に示されたような出力電圧のレベルを制御するコンバータを含むＳＥＰＩＣ（Ｓｉｎｇｌｅ  Ｅｎｄｅｄ  Ｐｒｉｍａｒｙ  Ｉｎｄｕｃｔａｎｃｅ  Ｃｏｎｖｅｒｔｅｒ）を適用すれば良い。ＳＥＰＩＣはインダクタＬ４１、Ｌ４２、Ｌ４３、トランジスタＳ４１、抵抗Ｒ４１、Ｒ４２、キャパシタＣ４１、Ｃ４２、Ｃ４３及びダイオードＤ４１で構成されうる。すなわち、力率改善回路２３０にインダクタＬ４２またはＬ４３のような２次コイルを使用して出力電圧を下げるようになる。さらに他の方法としては、サステイン駆動回路を変更してサステイン駆動電圧を高めるように設計すれば可能である。
【００３６】
次に、本発明に適用時に考慮して低周波リップル電圧及びリップルフィルタ２４０のレギュレーション特性を改善させる方案について説明する。
【００３７】
まず、図３に示された力率改善回路の出力キャパシタＣ１の容量を増加させて低周波リップル及びレギュレーション特性を改善させうる。
【００３８】
また、さらに向上した性能のためには力率改善回路２３０及びディスプレイパネル駆動回路２６０間にリップルフィルタ２４０を挿入する。リップルフィルタ２４０の一例を図５に示した。図５の回路で力率改善回路２３０の出力電力は
【００３９】
【数１】
2005010779.tif 000003
であるが、これは２部分に分けられる。すなわち、
【００４０】
【数２】
2005010779.tif 000004
は効率
【００４１】
【数３】
2005010779.tif 000005
に電力変換され、
【００４２】
【数４】
2005010779.tif 000006
に電力変換される。したがって、直列型リップルフィルタの最終出力電力は
【００４３】
【数５】
2005010779.tif 000007
の関係となる。ここで、
【００４４】
【数６】
2005010779.tif 000008
と見るならば、直列型スイッチングリップルフィルタに使われたＤＣ−ＤＣコンバータの出力電力であるので、この部分のみが実質的な電力変換が発生する部分である。直列型スイッチングリップルフィルタ回路を１個の電力変換ステージと見れば、全体的な効率
【００４５】
【数７】
2005010779.tif 000009
は
【００４６】
【数８】
2005010779.tif 000010
から式（１）のように計算される。
【００４７】
【数９】
2005010779.tif 000011
したがって、高効率を得るためにはコンバータの効率hCを高め、力率改善回路２３０の出力電圧に対する電力変換する電圧の比率を低く設定すれば良い。
【００４８】
最後に、本発明に適用時に考慮してディスプレイパネルと駆動回路との電気的な絶縁問題を解決する方案について説明する。
【００４９】
図６は、本発明が適用されるプラズマディスプレイパネル駆動システムでの絶縁問題を解決するためのグラウンド体系図である。
【００５０】
ビデオ信号処理回路２７０は入力される放送信号またはビデオ信号を処理してディスプレイパネル駆動に使われるデータを生成させ、駆動電源としてはＤＣ−ＤＣ変換回路２５０から出力される絶縁された直流電源を使用する。
【００５１】
そして、ビデオ信号処理回路２７０の電源は高電圧を使用するスキャン及びアドレス駆動回路６４０とはＤＣ−ＤＣ変換回路６２０により絶縁させ、またデータラインはフォトカプラー６３０によって絶縁させる。
【００５２】
これは交流プラズマディスプレイパネル駆動システムでサステイン駆動時に約１６０Ｖ以上の電圧が交互にかかり、またリセット時にランプ電圧がかかるので、アドレス及びスキャンドライバーＩＣから見れば、電気的にフローティングされた状態で動作と類似した条件になるためにＤＣ−ＤＣ変換回路６２０及びフォトカプラー６３０に絶縁させる。
【００５３】
また、１００Ａに近い大電流がサステイン駆動回路２６０−１に高周波に流れるので、ディスプレイパネル周辺のグラウンド電位はビデオ処理回路２７０のグラウンドから見れば、誤動作を起こす程変動が大きく発生する。
【００５４】
したがって、安定した動作のためにはプラズマディスプレイ駆動回路とビデオ信号処理回路２７０とはＤＣ−ＤＣ変換回路６２０及びフォトカプラー６３０により絶縁させる必要がある。
【００５５】
したがって、グラウンド設計は非絶縁力率改善回路２３０の出力回路のグラウンド（第１グラウンド）、サステイン駆動回路２６０−１のグラウンド（第１グラウンド）、ＤＣ−ＤＣ変換回路６６０の出力回路のグラウンド（第１グラウンド）及びスキャン及びアドレス駆動回路６４０のグラウンド（第１グラウンド）を電気的に連結させる。そして、ＤＣ−ＤＣ変換回路２５０の出力回路のグラウンド（第２グラウンド）とビデオ信号処理回路２７０のグラウンド（第２グラウンド）とを電気的に連結させる。
【００５６】
次に、前記の第１グラウンドと第２グラウンドとを電気的に遮断させるようにグラウンドを設計する。
【００５７】
これにより、ビデオ信号処理回路２７０のグラウンドはＤＣ−ＤＣ変換回路２５０によって交流電源側のグラウンドと絶縁され、またＤＣ−ＤＣ変換回路６２０及びフォトカプラー６３０によってディスプレイパネル駆動回路側のグラウンドと絶縁されるためにビデオ信号処理回路２７０のグラウンドと連結されて外部に突出した金属部位をユーザーが触っても感電されないようになって国際的な電気安全規格であるＩＥＣ６００３５の規定を満足させうる。
【００５８】
そして、プラズマディスプレイパネル６１０自体は非絶縁状態になるが、一般的にプラズマディスプレイパネルは非常に優秀な電気的な絶縁体である特殊ガラスを使用することによって問題がなく、ただ、プラズマディスプレイパネル電極が露出された部位及びＰＣＢマウンティング部位は絶縁材料（一例として、プラスチック）で外装ケースを設計すれば良い。
【００５９】
このような方法によって非絶縁された力率改善回路の出力電圧をＤＣ−ＤＣ変換回路を経ずに直接ディスプレイパネル駆動回路に供給する回路構成によって発生できる前述した３つの問題点が補完できるようになった。
【００６０】
本発明の一実施例では力率改善回路２３０及びディスプレイパネル駆動回路２６０間にリップルフィルタ２４０を挿入したが、場合によってはリップルフィルタ２４０を省略して力率改善回路の出力キャパシタＣ１の容量を増加させて低周波リップル及びレギュレーション特性を改善して適用できる。
【００６１】
図示により説明された特定の実施例はただ本発明の例として理解され、本発明の範囲を限定するものではなく、本発明が属する技術分野で本発明に記載された技術的思想の範囲内で多様な他の変更が発生されることがあるので、本発明は図示または記載された特定の構成及び配列に制限されないことは自明である。
【産業上の利用可能性】
【００６２】
本発明は多様な形態のディスプレイパネル駆動システムに適用されることができ、特に、本発明がプラズマディスプレイ駆動システムに適用されれば、部品数が減らせられ、また、電力効率を向上させうる。
【図面の簡単な説明】
【００６３】
【図１】従来の技術によるＡＣ ＰＤＰ駆動システムの電源供給装置の構成図である。
【図２】本発明によるディスプレイパネル駆動システムの高効率電源供給装置の構成図である。
【図３】図２に示された整流回路及び力率改善回路の細部構成図である。
【図４】図２に示された力率改善回路の他の実施例による細部構成図である。
【図５】図２に示されたリップルフィルタの細部構成図である。
【図６】本発明が適用されるプラズマディスプレイパネル駆動システムのグラウンド体系図である。
【符号の説明】
【００６４】
２１０  交流電源
２２０  整流回路
２３０  力率改善回路
２４０  リップルフィルタ
２５０  ＤＣ―ＤＣ変換回路
２６０  ディスプレイパネル駆動回路
２７０  ビデオ信号処理回路
１０００  直流電源供給回路
【図１】
2005010779.tif 000012
【図２】
2005010779.tif 000013
【図３】
2005010779.tif 000014
【図４】
2005010779.tif 000015
【図５】
2005010779.tif 000016
【図６】
2005010779.tif 000017